(57)【要約】【課題】回転機構を備えたチャイルドシートにおいて、回転ロック解除と回転操作を片手で行うことが可能であり、かつ着座シートがどの方向を向いている場合であっても操作手段が操作し易い位置に存在することとなるチャイルドシートを提供する。【解決手段】周回経路１８と、周回経路１８の少なくとも一部に形成された凹部２０とを有する回転ベース１４が付帯された取付台座１２と、周回経路１８に沿った移動と凹部２０への嵌合を可能に配置されたロック部３４と、ロック部３４を前記凹部２０を形成した面側へ付勢させる付勢手段と、ロック部３４に接続されてロック部３４を前記付勢手段による付勢方向と反対側へ移動させることでロック部３４と凹部２０との嵌合を解除するロック解除部３６とを有する複数の操作手段３２を備え、回転ベース１４に対して回転可能に組付けられる回転板２６が付帯された着座シート２２と、を有することを特徴とする。【選択図】図５
2015217696.tif 000002
【特許請求の範囲】
【請求項１】
周回経路と、前記周回経路の少なくとも一部に形成された凹部とを有する回転ベースが付帯された取付台座と、
前記周回経路に沿った移動と前記凹部への嵌合を可能に配置されたロック部と、前記ロック部を前記凹部を形成した面側へ付勢させる付勢手段と、前記ロック部に接続されて前記ロック部を前記付勢手段による付勢方向と反対側へ移動させることで前記ロック部と前記凹部との嵌合を解除するロック解除部とを有する複数の操作手段を備え、前記回転ベースに対して回転可能に組付けられる回転板が付帯された着座シートと、
を有することを特徴とするチャイルドシート。
【請求項２】
前記凹部は、前記周回経路上で、前記取付台座の前方側に対応する位置に設けられ、
前記複数の操作手段は、少なくとも前記着座シートの前方側に対応する位置と後方側に対応する位置に設けられていることを特徴とする請求項１に記載のチャイルドシート。
【請求項３】
前記回転板の回転中心を基点として放射状に複数の前記凹部を設け、
前記回転中心を基点とした前記複数の凹部間の配置角度を前記回転中心を基点とした前記操作手段の配置角度よりも小さくしたことを特徴とする請求項２に記載のチャイルドシート。
【請求項４】
前記周回経路を構成する壁面に前記ロック部の摺動抵抗を変化させる切欠き部を設けたことを特徴とする請求項１乃至３のいずれか１項に記載のチャイルドシート。
【発明の詳細な説明】
【技術分野】
【０００１】
本発明は、チャイルドシートに係り、特に車両に取り付ける取付台座に対して着座シートを回転させる回転機構を備えたチャイルドシートに関する。
【背景技術】
【０００２】
車両に対する取付台座に対して、着座シートを回転可能に構成するチャイルドシートは種々提案されている。取付台座と着座シートとの間の回転機構に関しては、回転を止めるためにロックしたり、ロックを解除して回転可能にするための操作手段を台座側に設けるタイプと、着座シート側に設けるタイプに大別することができる。
【０００３】
前者は、例えば特許文献１に開示されているような構成のチャイルドシートである。このような構成のチャイルドシートでは、着座シートが車両の進行方向に対してどの方向を向いている場合であっても、常に同じ方向から操作手段を操作することができるという利点がある。
【０００４】
また、後者としては、例えば特許文献２、３に開示されているような構成のチャイルドシートが知られている。特許文献２に開示されているチャイルドシートは、着座シートの着座部分の下側に、操作手段を設けている。一方、特許文献３に開示されているチャイルドシートは、着座シートの背もたれ部分の後方に、操作手段を設けている。いずれの構成であっても、回転ロックの解除と、回転操作を同時に行うことができるため、片手での操作が可能となり、子供を抱えた状態で操作できるという利点がある。
【先行技術文献】
【特許文献】
【０００５】
【特許文献１】特開２００１−１８０３４９号公報
【特許文献２】特開２００２−３０１９６１号公報
【特許文献３】特開２０１２−３０６２５号公報
【発明の概要】
【発明が解決しようとする課題】
【０００６】
上記のように、台座側に操作手段を備えるチャイルドシートと、着座シート側に操作手段を備えるチャイルドシートとには、それぞれ構成に特化した利点が存在する。一方で、それぞれの構成のチャイルドシートには、各構成特融の課題が存在する。
【０００７】
例えば、台座側に操作手段を備えた場合、回転ロックを解除する動作と、着座シートを回転させる動作とを同時に行う場合、両手を使わざるを得ず、子供を抱えた状態での操作は困難となる。
【０００８】
また、着座シート側に操作手段を備えた場合、着座シートを回転させると、操作手段の位置が変わってしまう。このため、操作手段が車両シートの背もたれ側に位置してしまうと、手元の確認がし難い、解除のための力が入り難いといった問題が生じることがある。
【０００９】
そこで本発明では、回転機構を備えたチャイルドシートにおいて、回転ロック解除と回転操作を片手で行うことが可能であり、かつ着座シートがどの方向を向いている場合であっても操作手段が操作し易い位置に存在することとなるチャイルドシートを提供することを目的とする。
【課題を解決するための手段】
【００１０】
上記目的を達成するための本発明に係るチャイルドシートは、周回経路と、前記周回経路の少なくとも一部に形成された凹部とを有する回転ベースが付帯された取付台座と、前記周回経路に沿った移動と前記凹部への嵌合を可能に配置されたロック部と、前記ロック部を前記凹部を形成した面側へ付勢させる付勢手段と、前記ロック部に接続されて前記ロック部を前記付勢手段による付勢方向と反対側へ移動させることで前記ロック部と前記凹部との嵌合を解除するロック解除部とを有する複数の操作手段を備え、前記回転ベースに対して回転可能に組付けられる回転板が付帯された着座シートと、を有することを特徴とする。
【００１１】
また、上記のような特徴を有するチャイルドシートにおいて前記凹部は、前記周回経路上で、前記取付台座の前方側に対応する位置に設けられ、前記複数の操作手段は、少なくとも前記着座シートの前方側に対応する位置と後方側に対応する位置に設けるようにすると良い。
【００１２】
このような特徴を有することによれば、着座シートの回転動作がロックされている状態では、常に操作手段が取付台座の前方側に位置することとなる。
【００１３】
また、上記のような特徴を有するチャイルドシートでは、前記回転板の回転中心を基点として放射状に複数の前記凹部を設け、前記回転中心を基点とした前記複数の凹部間の配置角度を前記回転中心を基点とした前記操作手段の配置角度よりも小さくすることが望ましい。
【００１４】
このような特徴を有することによれば、任意の位置で着座シートの回転をロックすることが可能となる。また、１つの操作手段により回転ロックを解除して回転操作を行っている最中に、他の操作手段により回転がロックされてしまう虞が無い。
【００１５】
さらに、上記のような特徴を有するチャイルドシートでは、前記周回経路を構成する壁面に前記ロック部の摺動抵抗を変化させる切欠き部を設けるようにすると良い。
【００１６】
このような特徴を有することによれば、切欠き部において着座シートの回転を仮ロックすることが可能となる。さらに、仮ロック状態からは、力を加えるだけで回転動作を行うことが可能となる。
【発明の効果】
【００１７】
上記のような特徴を有するチャイルドシートによれば、回転機構を備えたチャイルドシートにおいて、回転ロック解除と回転操作を片手で行うことが可能であり、かつ着座シートがどの方向を向いている場合であっても操作手段が操作し易い位置に存在させることが可能となる。
【図面の簡単な説明】
【００１８】
【図１】実施形態に係るチャイルドシートの正面、平面、及び右側面の構成を示す斜視図である。
【図２】実施形態に係るチャイルドシートの右側面の構成を示す図である。
【図３】図２におけるＡ−Ａ断面の構成を示す図である。
【図４】図２におけるＢ−Ｂ断面の構成を示す図である。
【図５】図３におけるＣ−Ｃ断面の構成を示す図である。
【図６】取付台座の平面構成を示す図である。
【図７】回転板の平面構成を示す図である。
【図８】図７におけるＤ方向矢視の構成を示す図である。
【図９】図７におけるＥ方向矢視の構成を示す図である。
【図１０】実施形態に係るチャイルドシートにおける第１の応用形態の特徴的構成を示す模式図である。
【図１１】実施形態に係るチャイルドシートにおける第２の応用形態の特徴的構成を示す模式図である。
【図１２】実施形態に係るチャイルドシートにおける第３の応用形態の特徴的構成を示す模式図である。
【図１３】実施形態に係るチャイルドシートにおける第４の応用形態の特徴的構成を示す模式図である。
【図１４】実施形態に係るチャイルドシートにおける第５の応用形態の特徴的構成を示す模式図である。
【図１５】図１４におけるＦ−Ｆ断面の構成を示す模式図である。
【図１６】実施形態に係るチャイルドシートにおける第６の応用形態の特徴的構成を示す断面図である。
【発明を実施するための形態】
【００１９】
以下、本発明のチャイルドシートに係る実施の形態について、図面を参照して詳細に説明する。
【００２０】
本実施形態に係るチャイルドシート１０は、図１、および図２に示すように、取付台座１２と、着座シート２２を主体として構成されている。なお、図１は、実施形態に係るチャイルドシートの正面、平面、および右側面の構成を示す斜視図であり、図２は、実施形態に係るチャイルドシートの右側面の構成を示す図である。また、図３には図２におけるＡ−Ａ断面を示し、図４には、同図Ｂ−Ｂ断面を示す。さらに、図５には、図３におけるＣ−Ｃ断面を示すこととする。
【００２１】
実施形態に係るチャイルドシート１０において、取付台座１２は、車両のシート（不図示）に固定される部材であり、着座シート２２を回転させるための回転機構におけるベース（回転ベース１４と称す）が備えられている。図６に、取付台座１２の平面図を示す（図２の状態を基本としたアングル）。
【００２２】
回転ベース１４は、支持面１６と、周回経路１８、及び凹部２０を基本として構成されている。支持面１６は、詳細を後述する回転板２６（図５参照）を含む着座シート２２の重量を支える面であり、図６に示す形態では、その平面形状は、略円形としている。支持面１６の中央には、回転板２６に備えられる回転軸３０を挿通させるための軸受け孔１６ａが形成されている。周回経路１８は、詳細を後述する回転板２６の下部側に突出させるロック部３４（図５参照）を周回させるための経路である。本実施形態では、周回経路１８は、支持面１６の外周形状に沿って設けている。周回経路１８は、支持面１６に搭載される回転板２６から突出するロック部３４が配置されるため、支持面１６に対して凹状の溝となるように形成されている。このため、周回経路１８は、内周側壁面１８ａと外周側壁面１８ｂ、および底面１８ｃといった３つの壁面により構成されることとなる。
【００２３】
本実施形態では、凹部２０を周回経路１８に設けるようにしている。具体的には、周回経路１８を構成する壁面のうち、内周側壁面１８ａに形成している。また、凹部２０は、回転ベース１４において、取付台座１２の正面に対応する位置（前方側）に設けている。また、本実施形態では、図６から読み取れるように、内周側壁面１８ａの一部であって、取付台座１２の側面に対応する位置に、前述した凹部２０とは別に、略円形を成す支持面１６の平面視形態の一部直線状に切り欠く切欠き部１６ｂを備えている。
【００２４】
詳細を後述する回転板２６に備えられるロック部３４は、凹部２０を形成している内周側壁面１８ａに対して付勢されることとなる。このため、周回経路１８を移動するロック部３４が凹部２０の形成位置に至った場合には、ロック部３４が内周側壁面１８ａに形成された凹部２０に引き寄せられて嵌合することとなる。また、ロック部３４が、切欠き部１６ｂに至った場合、切欠き部１６ｂと円弧状の部分との間には角部が形成されることとなるため、ロック部３４が角部を乗り越える際に摺動抵抗が変化し、大きな力が必要となる。このため、切欠き部１６ｂを設けることにより、回転板２６を回転させる際に、仮ロック作用を得ることができるようになる。
【００２５】
着座シート２２は、背もたれ部２４ａと着座部２４ｂとを有するシート本体２４と、シート本体２４を構成する着座部２４ｂの下部備えられる回転板２６を有する。ここで、図７には、回転板の平面図を示し、図８、図９にそれぞれ図７におけるＤ方向矢視、Ｅ方向矢視の構成を示す。
【００２６】
シート本体２４は、チャイルドシート１０を使用する子供を座らせる座席である。回転板２６は、プレート本体２８と回転軸３０、および操作手段３２を備えている。プレート本体２８は、一方の面が上述した回転ベース１４の支持面に当接して摺動すると共に、他方の面によりシート本体２４を支持する役割を担う。プレート本体２８における一方の面側には、回転軸３０が突設されている。回転軸３０は、回転ベース１４の支持面１６に形成された軸受け孔１６ａに挿入される。図８、図９に示す例の場合、回転軸３０の先端には、軸受け孔１６ａとの係合を担う抜け止め３０ａが設けられている。尚、軸受け孔１６ａに対する回転軸３０の抜け止め構造は、本実施例に限定されず、他の既存の抜け止め構造を使用することができる。また、プレート本体２８には、その板面に、詳細を後述する操作手段３２を配置するための開口部２８ａ（図５参照）が設けられている。
【００２７】
操作手段３２は、ロック部３４と、ロック部３４に連接されているロック解除部３６を備える。操作手段３２は、プレート本体２８における他方の面に配置されているが、ロック部３４は、開口部２８ａを介して、プレート本体２８の一方の面側に突出するように配置されることとなる。このため、ロック部３４とロック解除部３６は、プレート本体２８を介して、一方の面と他方の面にそれぞれ配置されることとなる。本実施形態においてプレート本体２８は円形に形成されており、プレート本体２８に設けられている開口部２８ａは、ロック部３４を配置した状態で、操作手段３２を半径方向へ移動させることができるように形成されている。操作手段３２の移動幅は、少なくとも、ロック部３４が、回転ベース１４に形成された凹部２０に嵌合する位置から、ロック部３４と凹部２０の嵌合が解除され、ロック部３４が周回経路１８に配置される位置の範囲であれば良い。
【００２８】
操作手段３２は図示しない付勢手段により、プレート本体２８の中心側へ付勢されている。このため、ロック部３４は常時、周回経路１８における内周側壁面１８ａに付勢された状態となる。よって、ロック部３４が凹部２０の配置位置に面した場合には、ロック部３４は凹部２０に対して自動的に嵌合することとなる。
【００２９】
ロック部３４は、凹部２０に嵌合可能な突起部であれば良い。一方、ロック解除部３６は、付勢力に抗い、凹部２０からロック部３４を引き抜く必要がある。このため、本実施形態では、ロック解除部３６には、指を掛けるための持ち手を形成するようにしている。
【００３０】
本実施形態に係るチャイルドシート１０では、プレート本体２８に対して、少なくとも２つの操作手段３２を配置する構成としている。具体的な配置位置としては、回転板２６にシート本体２４を搭載した際に、着座部２４ｂの前方側となる位置と、着座部２４の背もたれ部２４ａ側となる位置にそれぞれ配置すると良い。このような配置形態とすることで、着座部２４ｂの前方が取付台座１２の前方を向いている場合であっても、背もたれ部２４ａが取付台座１２の前方に位置する場合であっても、操作手段３２が取付台座１２の前方に位置することとなり、操作性を良好に保つことができる。
【００３１】
上記のような構成の取付台座１２に対して、上記のような構成の着座シート２２を組み付けて構成されるチャイルドシート１０では、取付台座１２の前方側に位置している操作手段３２のロック部３４が、回転ベース１４に設けられた凹部２０に嵌合している。このため、取付台座１２の前方側に位置している操作手段３２のロック解除部３６を前方側へ引っ張ることで、ロック部３４と凹部２０との嵌合が外れ、回転動作に関するロックが解除される。ロックが解除された状態で、着座シート２２を回転させる方向に力を入れることで、着座シート２２は、回転軸３０を基点として回転することとなる。実施形態に係るチャイルドシート１０では、操作手段３２が着座シート２２に付帯されているため、回転ロックの解除と回転動作の双方を片手で行うことが可能となる。このため、片手に子供や荷物を持った状態であっても、チャイルドシート１０のロックを解除し、回転させるという動作を行うことが可能となる。
【００３２】
凹部２０との嵌合が外されたロック部３４は、着座シート２２の回転に従って、周回経路１８の内周側壁面１８ａに沿って摺動することとなる。着座シート２２を約９０度回転させると、ロック部３４は、周回経路１８の内周側壁面１８ａに形成された切欠き部１６ｂに到達し、仮ロック状態となる。着座シート２２に対して回転方向に力を加えると、仮ロック状態が解除され、ロック部３４は、再び周回経路１８の内周側壁面１８ａに沿って摺動する。
【００３３】
着座シート２２を約１８０度回転させると、背もたれ部２４ａ側に配置した操作手段３２が取付台座１２の前方に位置することとなる。このため、背もたれ部２４ａ側の操作手段３２におけるロック部３４が、凹部２０に嵌合し、着座シート２２の回転をロックすることとなる。このように、実施形態に係るチャイルドシート１０では、着座シート２２の回転をロックする機能を果たす操作手段３２が、着座シート２２の回転がロックされる際、必ず取付台座１２の前方側に位置することとなる。このため、ロック解除時の操作性が常に良好となる。なお、本実施形態では、凹部２０の配置位置を取付台座１２の前方側となる位置としたが、凹部２０の配置位置は、これに限られるものでは無い。すなわち、操作手段３２の操作性や、着座シート２２を固定したい方向に合わせて定めるようにすれば良い。なお、凹部２０の配置範囲は、取付台座１２の前方側を基点として、回転中心回りに±９０度の範囲とすることが望ましい。
【００３４】
次に、上記実施形態のチャイルドシート１０に適用可能な応用形態について、図面を参照しつつ説明する。なお、以下に示す応用形態は、いずれも、その殆どの構成を上述した実施形態に係るチャイルドシート１０と同様とする。よって、各応用形態を示す図面に開示する特徴的な構成以外の構成は、上記実施形態に係るチャイルドシート１０の構成を援用することとする。また、以下に示す応用形態では、主に、取付台座１２と着座シート２２の間に位置する回転機構の構成を模式的に示し、これを各応用形態の特徴的構成とする
【００３５】
まず、第１の応用形態について、図１０を参照して説明する。本応用形態では、操作手段３２の数を４つとしている。操作手段３２を４つ設ける場合、各操作手段３２間の配置角度は、約９０度とすると良い。操作手段３２をこのような形態で配置することで、着座シート２２を約９０度回転させる毎にロックがかかることとなる。本実施形態においても、ロックがかかる状態の時には、必ずロック解除に寄与することとなる操作手段３２が取付台座１２の前方に位置することとなる。また、ロック解除動作と着座シート２２を回転させる動作を片手で同時に行うことも可能となる。
【００３６】
なお、上記実施形態では、支持面１６において、凹部２０の形成位置から約９０度の位置に、平面視形状を直線とした切欠き部１６ｂを設け、着座シート２２を回転させる際に仮ロックを生じさせる旨記載した。しかしながら、本応用形態では、約９０度毎にロックがかかる構成とするため、支持面１６に切欠き部１６ｂを設ける必要性は無い。
【００３７】
次に、第２の応用形態について、図１１を参照して説明する。本応用形態では、凹部２０の数を２つとしている。凹部２０の数を増やす場合、その配置角度は、操作手段３２の配置角度よりも小さくなるようにする。本応用形態では、２つの操作手段３２の配置角度を約１８０度とし、２つの凹部２０の配置角度を約９０度としている（いずれも支持面１６の中心を基点とする）。
【００３８】
なお、凹部２０の配置位置は、取付台座１２の前方側の位置を基点として、±９０度の範囲に配置することが望ましい。凹部２０の配置位置は、操作手段３２によるロック、あるいはロック解除が成される位置である。このため、取付台座１２の前方側の位置を基点とした±９０度の範囲に凹部２０を設けることで、ロック解除操作を行う操作手段３２は、取付台座１２の前方側か、側面側に位置することとなり、操作性を損なう虞が無い。
【００３９】
また、凹部２０の配置角度を操作手段３２の配置角度よりも小さくすることで、１つの操作手段３２により凹部２０とのロックを解除して着座シート２２の回転操作を行っている最中に、他の操作手段３２が凹部２０に嵌合し、着座シート２２の回転がロックされてしまうといった事態を生じさせる虞が無い。また、凹部２０の数を増やすことで、着座シート２２を回転させる際、任意の角度で着座シート２２の回転をロックすることが可能となる。
【００４０】
次に、第３の応用形態について、図１２を参照して説明する。本応用形態では、凹部２０の数、操作手段３２の数を共に３つとしている。凹部２０や操作手段３２の数を２つ以上に増やす場合には、最も離れた位置にある２つの凹部２０の間の角度θ１が、隣り合って配置されている２つの操作手段３２の配置角度θ２よりも小さくなるように配置することが望ましい。１つの操作手段３２により凹部２０とのロックを解除して着座シート２２の回転操作を行っている最中に、他の操作手段３２が凹部２０に嵌合し、着座シート２２の回転がロックされてしまうといった事態を避けるためである。
【００４１】
本応用形態では、隣り合う凹部２０の配置角度をそれぞれ約３０度、隣り合う操作手段３２の配置角度をそれぞれ約１２０度としている。このような応用形態であっても、上述した第２の応用形態と同様の効果を発揮することが可能となる。
【００４２】
次に、第４の応用形態について、図１３を参照して説明する。本応用形態では、凹部２０の配置位置と操作手段３２の付勢方向を異ならせる構成とした。上記実施形態では、操作手段３２を構成するロック部３４は、周回経路１８を構成する壁面のうち、内周側壁面１８ａに付勢する構成としていた。これに対し、本応用形態では、周回経路１８を構成する壁面のうち、外周側壁面１８ｂに、ロック部３４を付勢させる構成とする。すなわち、操作手段３２には、回転板２６（図７参照）の回転中心から離間する方向へ向けた付勢力が働くように、付勢手段（不図示）を設けるようにする。
【００４３】
また、本応用形態では、凹部２０を外周側壁面１８ｂに設ける構成としている。また、その配置位置は、取付台座１２の前方側とすることが望ましい。
【００４４】
このように本応用形態では、ロック部３４の付勢方向を周回経路１８を構成する外周側壁面１８ｂの方向とすることで、着座シート２２の回転がロックされる際には、周回経路１８の外周側壁面１８ｂに形成された凹部２０にロック部３４が嵌合することとなる。このため、着座シート２２のロックを解除する際には、操作手段３２のロック解除部３６を回転板２６の回転中心方向へ押し込むこととなる。
【００４５】
次に、第５の応用形態について、図１４、図１５を参照して説明する。なお、図１４は、回転機構の平面構成を示す模式図であり、図１５は、図１４におけるＦ−Ｆ断面を示す模式図である。本応用形態では、周回経路１８を構成する壁面のうちの底面１８ｃに、凹部２０を構成している。このような構成では、溝状に形成された周回経路１８に沿って摺動する操作手段３２のロック部３４が、凹部２０に落ち込むことで、着座シート２２の回転がロックされることとなる。
【００４６】
本応用形態の場合、着座シート２２の回転ロックを解除する際には、操作手段３２を構成するロック解除部３６を上方へ引き上げれば良い。この動作により、凹部２０に嵌合しているロック部３４が引き抜かれることとなるからである。
【００４７】
次に、第６の応用形態について、図１６を参照して説明する。ここで、図１６は、本応用形態に係るチャイルドシート１０における断面構成（図３におけるＣ−Ｃ断面に対応）を示す図であり、説明を容易にするために、着座シート２２と取付台座１２を分解した状態で示している。
【００４８】
本応用形態では、操作手段３２のロック部３４を本体３４ａと返し３４ｂから成るフック形状に形成し、周回経路１８も、このロック部３４の形態に合わせた形状としている。ここで、フック部３４を構成する本体３４ａは、本応用形態ではプレート本体２８から取付台座側１２側へ垂下する垂下部と、プレート本体２８の回転中心に向けて突出している凸部とを有するＬ字状としている。返し３４ｂは、本体３４ａの凸部からロック解除部３６側へ向けて、前述した垂下部と平行に突出する突起部である。また、周回経路１８の具体的形状の一例としては、ロック部３４の本体３４ａが周回するＬ字溝１９ａと、Ｌ字溝１９ａの形成により構成される天井部１６ｃに形成され、返し３４ｂが周回することとなる天井溝１９ｂから成る。そして、ロック部３４が嵌合することとなる凹部２０は、天井溝１９ｂにおける取付台座１２の前方側に対応する位置に設けられる。
【００４９】
このような構成では、操作手段３２は、凹部２０が形成されている天井部１６ｃ側に付勢されることとなる。そして、着座シート２２の回転と共に操作手段３２が天井溝１９ｂの凹部２０形成位置に到達すると、ロック部３４の返し３４ｂが凹部２０に嵌合する。返し３４ｂが凹部２０に嵌合すると、凹部２０の深さ分だけ、操作手段３２のロック解除部３６が、シート本体２４側（図面上側）に突出し、着座シート２２の回転がロックされることとなる。着座シート２２の回転ロックを解除する場合には、突出している操作手段３２のロック解除部３６をプレート本体２８側（図中下側）へ押し込めば良い。このような操作により、ロック部３４の返し３４ｂと凹部２０との嵌合外れ、ロックが解除されることとなる。
【００５０】
このような構成であっても、操作手段３２を片手で操作し、かつ着座シート２２を回転させる力を加えることができる。このため、本発明の一部とみなすことができる。なお、図１６においては、操作手段３２や取付台座１２をそれぞれ一体物として示しているため、組み付けが困難であるように見えるが、図１６は、本応用形態の一例を模式的に示すものであり、各構成要素を適宜分割可能な構成とすれば、組み付け上の問題は生じない。
【符号の説明】
【００５１】
１０………チャイルドシート、１２………取付台座、１４………回転ベース、１６………支持面、１６ａ………軸受け孔、１６ｂ………切欠き部、１８………周回経路、１８ａ………内周側壁面、１８ｂ………外周側壁面、１８ｃ………底面、２０………凹部、２２………着座シート、２４………シート本体、２４ａ………背もたれ部、２４ｂ………着座部、２６………回転板、２８………プレート本体、２８ａ………開口部、３０………回転軸、３０ａ………抜け止め、３２………操作手段、３４………ロック部、３６………ロック解除部。
【図１】
2015217696.tif 000003
【図２】
2015217696.tif 000004
【図３】
2015217696.tif 000005
【図４】
2015217696.tif 000006
【図５】
2015217696.tif 000007
【図６】
2015217696.tif 000008
【図７】
2015217696.tif 000009
【図８】
2015217696.tif 000010
【図９】
2015217696.tif 000011
【図１０】
2015217696.tif 000012
【図１１】
2015217696.tif 000013
【図１２】
2015217696.tif 000014
【図１３】
2015217696.tif 000015
【図１４】
2015217696.tif 000016
【図１５】
2015217696.tif 000017
【図１６】
2015217696.tif 000018